【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
画像形成装置に用いられるプロセスカートリッジにおいて、
感光体に作用するプロセス手段を有して、前記画像形成装置の装置本体に着脱可能に設けられるメインカートリッジと、
前記メインカートリッジに着脱可能に設けられ、前記メインカートリッジに供給するための現像剤を収容する現像剤収容部を有するサブカートリッジと、
を備え、
前記メインカートリッジは、
前記メインカートリッジが前記装置本体の内部に進入するのを前記装置本体と当接して阻止する第１の位置と、前記メインカートリッジが前記装置本体の内部に進入するのを許容する第２の位置と、を移動可能な移動部材と、
前記移動部材を前記第１の位置にロックする規制位置と、前記移動部材の前記第１の位置から前記第２の位置への移動を許容する許容位置とを移動可能な規制部材と、
を有し、
前記サブカートリッジを前記メインカートリッジに装着することにより、前記規制部材が前記規制位置から許容位置へと移動することを特徴とするプロセスカートリッジ。
【請求項２】
前記規制部材は、前記移動部材が前記第２の位置のときに、前記サブカートリッジに当接して前記サブカートリッジが前記メインカートリッジから取り外されるのを規制する規制部を有することを特徴とする請求項１に記載のプロセスカートリッジ。
【請求項３】
前記移動部材が前記第２の位置のときに、前記規制部材は前記移動部材に設けられた制止部により前記許容位置から前記規制位置への移動を規制されることを特徴とする請求項１または２に記載のプロセスカートリッジ。
【請求項４】
前記移動部材は前記メインカートリッジを前記装置本体に着脱する際に把持される把持部であり、
前記把持部が前記第１の位置にある時より、前記把持部が前記第２の位置にある時の方が、前記把持部の先端が、前記メインカートリッジの外表面より遠い位置にあることを特徴とする請求項１乃至３のいずれか１項に記載のプロセスカートリッジ。
【請求項５】
前記サブカートリッジは前記規制部材と当接可能な押圧部を有し、前記押圧部は、前記サブカートリッジが前記メインカートリッジに装着される過程で、前記規制部材を押圧して前記規制位置から前記許容位置へ移動させることを特徴とする請求項１乃至４のいずれか１項に記載のプロセスカートリッジ。
【請求項６】
前記プロセス手段は、前記感光体に付着した現像剤を除去するクリーニング装置か、前記感光体を帯電する帯電装置か、前記感光体に形成された潜像を現像する現像装置であることを特徴とする請求項１乃至５のいずれか１項に記載のプロセスカートリッジ。
【請求項７】
前記メインカートリッジは、感光体を有することを特徴とする請求項１乃至６のいずれか１項に記載のプロセスカートリッジ。
【請求項８】
画像形成装置の装置本体に着脱可能なメインカートリッジにおいて、
感光体に作用するプロセス手段と、
現像剤を収容するサブカートリッジを着脱可能とする着脱部と、
前記メインカートリッジが前記装置本体の内部に進入するのを前記装置本体と当接して阻止する第１の位置と、前記メインカートリッジが装置本体の内部に進入するのを許容する第２の位置と、を移動可能な移動部材と、
前記移動部材を前記第１の位置にロックする規制位置と、前記移動部材の前記第１の位置から前記第２の位置への移動を許容する許容位置とを移動可能な規制部材と、
を備え、
前記サブカートリッジを前記着脱部に装着することにより、前記規制部材が前記規制位置から許容位置へと移動することを特徴とするメインカートリッジ。
【請求項９】
前記規制部材は、前記移動部材が前記第２の位置のときに、前記サブカートリッジと当接して前記サブカートリッジが前記着脱部から取り外されるのを規制する規制部を備えることを特徴とする請求項８に記載のメインカートリッジ。
【請求項１０】
前記移動部材が前記第２の位置のときに、前記規制部材は前記移動部材に設けられた制止部により前記許容位置から前記規制位置への移動を規制されることを特徴とする請求項８または９に記載のメインカートリッジ。
【請求項１１】
前記移動部材は前記メインカートリッジを前記装置本体に着脱する際に把持される把持部であり、
前記把持部が前記第１の位置にある時より、前記把持部が前記第２の位置にある時の方が、前記把持部の先端が、前記メインカートリッジの外表面より遠い位置にあることを特徴とする請求項８乃至１０のいずれか１項に記載のメインカートリッジ。
【請求項１２】
前記規制部材は前記サブカートリッジと当接可能な被押圧部を有し、前記サブカートリッジが前記着脱部に装着させる過程で、前記被押圧部が前記サブカートリッジに押圧されることで、前記規制部材は前記規制位置から前記許容位置に移動することを特徴とする請求項８乃至１１のいずれか１項に記載のメインカートリッジ。
【請求項１３】
前記プロセス手段は、前記感光体に付着した現像剤を除去するクリーニング装置か、前記感光体を帯電する帯電装置か、前記感光体に形成された潜像を現像する現像装置であることを特徴とする請求項８乃至１２のいずれか１項に記載のメインカートリッジ。
【請求項１４】
前記メインカートリッジは、感光体を有することを特徴とする請求項８乃至１３のいずれか１項に記載のメインカートリッジ。
【請求項１５】
画像形成装置の装置本体に着脱可能なメインカートリッジに対して、着脱可能となるサブカートリッジにおいて、
前記メインカートリッジに供給するための現像剤を収容する現像剤収容部と、
前記メインカートリッジに設けられた規制部材と当接可能な押圧部と、
を備え、
前記メインカートリッジは、前記メインカートリッジが前記装置本体の内部に進入するのを前記装置本体と当接して阻止する第１の位置と、前記メインカートリッジが装置本体の内部に進入するのを許容する第２の位置と、を移動可能な移動部材を有し、
前記規制部材は、前記移動部材を前記第１の位置にロックする規制位置と、前記移動部材の前記第１の位置から前記第２の位置への移動を許容する許容位置とを移動可能であって、
前記押圧部は、前記サブカートリッジが前記メインカートリッジに装着される過程で、前記規制部材を押圧して前記規制位置から前記許容位置に移動させることを特徴とすることを特徴とするサブカートリッジ。
【請求項１６】
記録媒体に画像を形成する画像形成装置において、
請求項１乃至７のいずれか１項に記載のプロセスカートリッジと、
前記サブカートリッジが装着された状態の前記メインカートリッジを着脱可能とする装置本体と、
を備え、
前記装置本体は、
前記サブカートリッジが取り外された状態で前記メインカートリッジが前記装置本体に装着されるのを阻止する停止部を有し、
前記第１の位置に位置する前記移動部材は前記停止部に当接することを特徴とする画像形成装置。
【手続補正２】
【補正対象書類名】明細書
【補正対象項目名】発明の名称
【補正方法】変更
【補正の内容】
【発明の名称】プロセスカートリッジ、メインカートリッジ、サブカートリッジおよび画像形成装置
【手続補正３】
【補正対象書類名】明細書
【補正対象項目名】０００８
【補正方法】変更
【補正の内容】
【０００８】
上記目的を達成するための本発明の代表的な構成は、
画像形成装置に用いられるプロセスカートリッジにおいて、
感光体に作用するプロセス手段を有して、前記画像形成装置の装置本体に着脱可能に設けられるメインカートリッジと、
前記メインカートリッジに着脱可能に設けられ、前記メインカートリッジに供給するための現像剤を収容する現像剤収容部を有するサブカートリッジと、
を備え、
前記メインカートリッジは、
前記メインカートリッジが前記装置本体の内部に進入するのを前記装置本体と当接して阻止する第１の位置と、前記メインカートリッジが前記装置本体の内部に進入するのを許容する第２の位置と、を移動可能な移動部材と、
前記移動部材を前記第１の位置にロックする規制位置と、前記移動部材の前記第１の位置から前記第２の位置への移動を許容する許容位置とを移動可能な規制部材と、
を有し、
前記サブカートリッジを前記メインカートリッジに装着することにより、前記規制部材が前記規制位置から許容位置へと移動することを特徴とする。